(57)【要約】      （修正有）【課題】外部再生装置によるコンテンツの再生中において、このコンテンツの追いかけ再生の再生要求命令が発生した場合に、コンテンツ出力部に対する再生指示を適切に制御することができる再生制御装置を提供する。【解決手段】再生制御部は、外部再生装置によるコンテンツの再生中において、コンテンツの追いかけ再生の再生要求命令が発生した場合に、当該再生要求命令に基づいて、再生中のコンテンツの再生位置である第一再生位置より所定時間前の再生位置である第二再生位置からの再生制御を、コンテンツを出力するコンテンツ出力部に対して指示する。【選択図】図２
2014233025.tif 000002
【特許請求の範囲】
【請求項１】
端末装置と外部再生装置とを備えたコンテンツ再生システムにおけるコンテンツの再生を制御する再生制御装置であって、
外部再生装置による前記コンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する再生制御部
を備えることを特徴とする再生制御装置。
【請求項２】
前記再生制御部は、
前記端末装置における所定の操作を契機に発生した前記再生要求命令に基づいて、再生制御を指示する
ことを特徴とする請求項１に記載の再生制御装置。
【請求項３】
前記第一再生位置と、前記第二再生位置と、の情報を少なくとも出力する再生位置出力部
を備えること特徴とする請求項１または請求項２に記載の再生制御装置。
【請求項４】
前記第二再生位置を記録する再生開始位置記録部を備え、
前記再生制御部は、
前記再生開始位置記録部により記録された前記第二再生位置からのコンテンツの再生制御を指示する
ことを特徴とする請求項１から請求項３の何れか一項に記載の再生制御装置。
【請求項５】
前記再生制御部は、
さらに前記コンテンツを記録するコンテンツ記録部に対し、前記再生開始位置記録部により記録された前記第二再生位置からのコンテンツの記録を指示する
こと特徴とする請求項４に記載の再生制御装置。
【請求項６】
前記コンテンツ出力部
を備えることを特徴とする請求項１から請求項５の何れか一項に記載の再生制御装置。
【請求項７】
前記コンテンツ出力部は、
前記再生制御部からの再生制御の指示に基づいて、前記コンテンツの前記第一再生位置からの出力とともに、前記第二再生位置からの出力を開始する
ことを特徴とする請求項６に記載の再生制御装置。
【請求項８】
前記コンテンツ出力部は、
前記コンテンツの前記第一再生位置からの再生よりも第二再生位置からの再生を高速度で行い、前記第二再生位置からの再生位置が前記第一再生位置からの再生位置に追いついた場合には前記第二再生位置からの出力を終了する
ことを特徴とする請求項６または請求項７に記載の再生制御装置。
【請求項９】
前記コンテンツの一部を記録する自装置の記憶部に対し、前記コンテンツの過去に再生した所定時間分のデータの記録を指示し、当該指示により自装置の前記記憶部に記録されているデータにおける前記第二再生位置を自装置の前記記憶部に記録する記録制御部
を備えることを特徴とする請求項１から請求項８の何れか一項に記載の再生制御装置。
【請求項１０】
前記端末装置に備えられた請求項１から請求項９の何れか一項に記載の再生制御装置。
【請求項１１】
前記外部再生装置に備えられた請求項１から請求項１０の何れか一項に記載の再生制御装置。
【請求項１２】
前記再生要求命令を複数の前記端末装置のうちの当該再生要求命令の送信元の端末装置から受信し、第二再生位置からの再生制御の指示を当該再生要求命令の送信元の端末装置に出力する
ことを特徴とする請求項１から請求項１１の何れか一項に記載の再生制御装置。
【請求項１３】
前記再生要求命令の送信元の端末装置は、
前記外部再生装置から第二再生位置からのコンテンツデータを取得する
ことを特徴とする請求項１２に記載の再生制御装置。
【請求項１４】
前記再生要求命令の送信元の端末装置は、
前記複数の端末装置のうちの再生要求命令の送信先の端末装置から第二再生位置からのコンテンツデータを取得する
ことを特徴とする請求項１２に記載の再生制御装置。
【請求項１５】
前記外部再生装置は、
前記端末装置からコンテンツデータを取得し再生する
ことを特徴とする請求項１から請求項１４の何れか一項に記載の再生制御装置。
【請求項１６】
外部再生装置によるコンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する
ことを特徴とする再生制御方法。
【請求項１７】
再生制御装置のコンピュータを、
外部再生装置によるコンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する再生制御手段
として機能させることを特徴とするプログラム。
【発明の詳細な説明】
【技術分野】
【０００１】
本発明は、コンテンツの出力を制御する再生制御装置、再生制御方法及びプログラムに関する。
【背景技術】
【０００２】
例えば再生されたコンテンツを一人または複数人で共に視聴できる外部再生装置において出力されている当該コンテンツ（映像や音など）を視聴している状況において、その外部再生装置で再生されていたコンテンツの再生位置に戻ってコンテンツを視聴したいという願望が生じる。
ここで、特許文献１には、複数チャンネルの番組などの複数種類のデータを記憶し、１つの種類のデータを再生しているときに他の種類のデータの再生が指示されたとき、その再生が指示されたときの１つの種類のデータを再生しているときよりも前の位置にさかのぼって他の種類のデータを再生する技術が記載されている。
【先行技術文献】
【特許文献】
【０００３】
【特許文献１】特開２００６−２２２７０５号公報
【発明の概要】
【発明が解決しようとする課題】
【０００４】
しかしながら、特許文献１に記載されている技術は、上述の外部再生装置で再生されていたコンテンツの再生位置に戻ってコンテンツを視聴したいという願望を解決する技術ではない。したがって、特許文献１に記載されている技術を用いた再生制御装置では、外部再生装置によるコンテンツの再生中において、このコンテンツの追いかけ再生の再生要求命令が発生した場合に、コンテンツ出力部に対する再生指示を適切に制御することのできる技術が求められていた。
【０００５】
そこでこの発明は、上記の課題を解決することのできる再生制御装置、再生制御方法及びプログラムを提供することを目的としている。
【課題を解決するための手段】
【０００６】
上記目的を達成するために、本発明は、端末装置と外部再生装置とを備えたコンテンツ再生システムにおけるコンテンツの再生を制御する再生制御装置であって、外部再生装置による前記コンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する再生制御部を備えることを特徴とする再生制御装置である。
【０００７】
また本発明は、外部再生装置によるコンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示することを特徴とする再生制御方法である。
【０００８】
また本発明は、再生制御装置のコンピュータを、外部再生装置によるコンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する再生制御手段として機能させることを特徴とするプログラムである。
【発明の効果】
【０００９】
本発明によれば、外部再生装置によるコンテンツの再生中において、このコンテンツの追いかけ再生の再生要求命令が発生した場合に、コンテンツ出力部に対する再生指示を適切に制御することができる。
【図面の簡単な説明】
【００１０】
【図１】本発明の再生制御装置１０の最小構成を示す機能ブロック図である。
【図２】本発明の実施形態によるコンテンツ再生システム１０００の構成例を示す図である。
【図３】本発明の第一の実施形態による再生制御装置１０の構成を示す機能ブロック図である。
【図４】本発明の第一の実施形態による外部再生装置２００のコンテンツ出力部１１０ｅｘｔが出力する端末装置１００ａにおける再生状況を示す図である。
【図５】本発明の第一の実施形態によるコンテンツ再生システム１０００の処理フローを示す図である。
【図６】本発明の第二の実施形態による端末装置１００ａの備える再生制御装置１０ａの構成を示す機能ブロック図である。
【図７】本発明の第二の実施形態による端末装置１００ｂの備える再生制御装置１０ｂの構成を示す機能ブロック図である。
【図８】本発明の第二の実施形態によるコンテンツ再生システム１０００の構成を示す図である。
【図９】本発明の第二の実施形態によるコンテンツ再生システム１０００の処理フローを示す図である。
【図１０】本発明の第三の実施形態による端末装置１００ａの備える再生制御装置１０ａの構成を示す機能ブロック図である。
【図１１】本発明の第三の実施形態による端末装置１００ｂの備える再生制御装置１０ｂの構成を示す機能ブロック図である。
【図１２】本発明の第三の実施形態による外部再生装置２００の備える再生制御装置１０ｅｘｔの構成を示す機能ブロック図である。
【図１３】本発明の第三の実施形態によるコンテンツ再生システム１０００の構成を示す図である。
【図１４】本発明の第三の実施形態によるコンテンツ再生システム１０００の処理フローを示す図である。
【発明を実施するための形態】
【００１１】
図１は、本発明の再生制御装置１０の最小構成を示す機能ブロック図である。
本発明の再生制御装置１０は、図１で示すように、少なくとも再生制御部１０１の機能部を備える。
ここで、再生制御部１０１は、外部再生装置によるコンテンツの再生中において、コンテンツの追いかけ再生の再生要求命令が発生したことを検出する機能部である。また再生制御部１０１は、再生要求命令が発生したことを検出すると、外部再生装置が現在再生しているコンテンツの再生位置を示す第一再生位置よりも所定時間前の再生位置を示す第二再生位置からの再生制御を、コンテンツを再生する機能に対して指示する機能部である。
【００１２】
図２は、本発明の実施形態によるコンテンツ再生システム１０００の構成例を示す図である。
この図で示すように、コンテンツ再生システム１０００は、端末装置１００と外部再生装置２００とを備えている。外部再生装置２００は、複数のユーザが見ることのできる場所に設置されている。また端末装置１００は、ユーザが携帯する装置である。そして、外部再生装置２００の近傍に居るユーザが携帯する端末装置１００は再生制御装置１０を備えている。また外部再生装置２００は、モニタなどのコンテンツ出力部を備える装置である。１人または複数のユーザが、コンテンツを再生してその映像を出力している外部再生装置２００のコンテンツ出力部を閲覧している状況下において、１人または複数のユーザのうちのあるユーザが自身の携帯する端末装置１００に対して追いかけ再生の再生要求命令を入力すると、端末装置１００の備える再生制御装置１０の再生制御部１０１がその再生要求命令を検出し、端末装置１００のコンテンツ出力部に対して第二再生位置からの再生制御を行う。これにより、外部再生装置２００において視聴されている第一再生位置のコンテンツの映像がそのまま再生され、再生制御装置１０を有する再生要求命令を行ったユーザの保持する端末装置１００においては、第二再生位置からの再生によるコンテンツの映像が出力される。また、再生要求命令を行ったユーザの保持する端末装置１００において第二再生位置から再生されるコンテンツは、同時に外部再生装置２００において第一再生位置と共に表示されてもよい。
なお、外部再生装置２００の近傍に居る各ユーザが携帯する端末装置１００それぞれについては、端末装置１００ａ、端末装置１００ｂ、端末装置１００ｃ、・・・と表記し、その総称を端末装置１００と表記するものとする。また、端末装置１００ａ、端末装置１００ｂ、端末装置１００ｃ、・・・のそれぞれの備える再生制御装置１０は、再生制御装置１０ａ、再生制御装置１０ｂ、再生制御装置１０ｃ、・・・と表記する。さらに、再生制御装置１０ａの備える各機能部の符号の後には“ａ”、再生制御装置１０ｂの備える各機能部の符号の後には“ｂ”を付加し、各機能部と各再生制御装置との対応関係を表す。また、外部再生装置２００の備える再生制御装置は、端末装置１００ａの備える再生制御装置１０ａと同一機能を有しているが、再生制御装置１０ｅｘｔと表記する。
【００１３】
＜第一の実施形態＞
図３は、本発明の第一の実施形態による再生制御装置１０の構成を示す機能ブロック図である。
再生制御部１０１は、図１を用いて説明した再生制御部１０１と同様の機能を有している。当該、再生制御部１０１は、コンテンツを再生する機能部である。
また、再生位置出力部１０２は、第一再生位置や第二再生位置の情報を出力する機能部である。
また、再生開始位置記録部１０３は、第一再生位置や第二再生位置を記憶部１１１に記録する機能部である。
また、記録制御部１０４は、記憶部１１１に対し、コンテンツの過去に再生した所定時間分のデータを記録する機能部である。
また、要求命令生成部１０５は、ユーザ操作入力に基づいて、コンテンツの記録を指示するコンテンツ記録要求命令、第二再生位置の記録を指示する再生位置記録要求命令、コンテンツの追いかけ再生を指示する再生要求命令、を生成する機能部である。
また、コンテンツ出力部１１０は、再生制御部１０１の出力するコンテンツを出力する出力部である。このコンテンツ出力部１１０は、例えば、液晶ディスプレイ、有機ＥＬ（Ｅｌｅｃｔｒｏ−Ｌｕｍｉｎｅｓｃｅｎｃｅ）ディスプレイなどである。
また、記憶部１１１は、再生制御装置１０の動作に必要な種々の情報を記憶する記憶部である。
なお、再生制御部１０１、再生位置出力部１０２、再生開始位置記録部１０３、記録制御部１０４、要求命令生成部１０５の各機能部は、例えば再生制御装置１０の制御部（例えばＣＰＵ、Ｃｅｎｔｒａｌ  Ｐｒｏｃｃｅｓｓｉｎｇ  Ｕｎｉｔ）が制御プログラムを実行することにより、再生制御装置１０に構成される。
【００１４】
図４は、本発明の第一の実施形態による外部再生装置２００のコンテンツ出力部１１０ｅｘｔが出力する端末装置１００ａの再生状況を示す図である。
端末装置１００ａが追いかけ再生の指示を入力した場合、１人または複数のユーザが端末装置１００ａにおけるコンテンツの追いかけ再生状況を認識できるように、再生制御部１０１ａは、文字や音声により例えばコンテンツの再生を開始した最初のデータからの再生時間を外部再生装置２００に出力する。また、再生制御部１０１ａは、外部再生装置２００における再生位置を示す第一再生位置を外部再生装置２００のコンテンツ出力部１１０ｅｘｔに出力する。
なお、この追いかけ再生状況の出力は、端末装置１００ａが追いかけ再生中のみ行えばよく、再生制御部１０１ａは、文字や音声ではなく、第二再生位置から再生されているコンテンツそのものをコンテンツ出力部１１０ｅｘｔに出力してもよい。また、端末装置１００ａが追いかけ再生中であっても、不要であればこの追いかけ再生状況の出力は行わなくてもよい。また、この追いかけ再生状況の出力は、複数のユーザが認識する必要がない場合、端末装置１００ａのコンテンツ出力部１１０ａが追いかけ再生状況を出力してもよい。
【００１５】
図５は、本発明の第一の実施形態によるコンテンツ再生システム１０００の処理フローを示す図である。
ここでは、外部再生装置２００がコンテンツとして映像（動画、静止画の両方を含む）を出力する場合を例に本実施形態によるコンテンツ再生システム１０００全体の処理および再生制御装置１０ａの処理を説明する。また、端末装置１００ａが自端末装置１００ａにコンテンツの記録や追いかけ再生を指示する場合を例に説明する。
なお、本実施形態において、コンテンツは端末装置１００ａの記憶部１１１が記憶しているものとして説明するが、コンテンツの記録されている記憶部は端末装置１００ａの記憶部１１１に限定されるものではなく、アクセスが可能であればどの装置の記憶部１１１に記録されていてもよいし、データベース等の独立した記憶部であってもよい。
【００１６】
まず、端末装置１００ａの再生制御部１０１ａは、端末装置１００ａの記憶部１１１ａの記録するコンテンツを、無線信号を用いて外部再生装置２００へ送信する（ステップＳ１）。外部再生装置２００が端末装置１００ａからコンテンツを受信すると、外部再生装置２００の再生制御部１０１ｅｘｔは受信したコンテンツを順次再生する（ステップＳ２）。これにより外部再生装置２００のコンテンツ出力部１１０ｅｘｔは映像を出力する。また、このとき再生制御部１０１ａは、外部再生装置２００に送信しているコンテンツの再生位置を再生開始位置記録部１０３ａに送信する。すると、端末装置１００ａの再生開始位置記録部１０３ａは、外部再生装置２００で現在再生されているコンテンツの再生位置である第一再生位置を繰り返し記憶部１１１に記録する（ステップＳ３）。
【００１７】
このような状況においては、端末装置１００ａのユーザは外部再生装置２００の再生しているコンテンツを見ることができ、特に自身の端末装置１００ａにおいてコンテンツが再生される必要がない。ところが、ユーザが例えば電話対応などのためその場を離れる必要がある場合、ユーザは、電話対応が終了し、元の場所に戻った時に、外部再生装置２００で見ていたコンテンツを、この場を離れるときに再生していたコンテンツの再生位置から見たいという願望が生じる。そこで、ユーザは離席時において事前に端末装置１００ａに対して、その場を離れることを意味する端末装置１００ａを持ち上げたり端末装置１００ａのコンテンツ出力部１１０ａである液晶ディスプレイをタップしたりするユーザ操作を行う。すると、端末装置１００ａの要求命令生成部１０５ａは、ユーザが端末装置１００ａを持ち上げた場合には加速度センサなどを用いて、また、コンテンツ出力部１１０ａをタップした場合には静電容量センサなどを用いて、そのユーザ操作を検出し、そのユーザ操作を契機に、第二再生位置の記録を指示する再生位置記録要求命令を生成する（ステップＳ４）。そして、端末装置１００ａの要求命令生成部１０５ａは、この生成した再生位置記録要求命令を再生開始位置記録部１０３ａに出力する。再生開始位置記録部１０３ａは、要求命令生成部１０５から再生位置記録要求命令を入力すると、その入力時点で記憶部１１１ａに記録されている第一再生位置を読み出し、その読み出した第一再生位置から所定時間前の再生位置を示す第二再生位置を端末装置１００ａの記憶部１１１ａに記録する（ステップＳ５）。
【００１８】
ここで、ユーザが電話対応を終了し、元の場所に戻り、端末装置１００ａに対して第二再生位置からの再生を指示する端末装置１００ａのコンテンツ出力部１１０ａをタップするなどのユーザ操作入力を行う。すると、端末装置１００ａの要求命令生成部１０５ａは、そのユーザ操作を契機に、第二再生位置からの再生を指示する再生要求命令を生成する（ステップＳ６）。そして、要求命令生成部１０５ａは、この生成した再生要求命令を再生制御装置１０ａの再生位置出力部１０２ａに出力する。再生位置出力部１０２ａは、要求命令生成部１０５ａから再生要求命令を入力すると、記憶部１１１ａに記録されている第二再生位置を読み出す。そして、再生位置出力部１０２ａは、読み出した第二再生位置を再生制御部１０１ａに出力する。
【００１９】
再生制御部１０１ａは、再生位置出力部１０２ａから第二再生位置を入力すると、その第二再生位置の入力に応じて、記憶部１１１ａからコンテンツを読み出す（ステップＳ７）。そして再生制御装置１０ａの再生制御部１０１ａは、読み出したコンテンツを第二再生位置から再生し、コンテンツ出力部１１０ａに出力する。これにより端末装置１００ａにおいて追いかけ再生を開始する（ステップＳ８）。また、このとき再生制御部１０１ａは、コンテンツ出力部１１０ａに出力している第二再生位置からのコンテンツの端末再生位置を再生開始位置記録部１０３ａに出力する。すると、端末装置１００ａの再生開始位置記録部１０３ａは、入力した端末再生位置を繰り返し記憶部１１１に記録する（ステップＳ９）。
端末装置１００ａのコンテンツの再生については、当該端末装置１００ａの再生制御部１０１ａが、外部再生装置２００において再生中のコンテンツの再生よりも高速度に再生する。また、ユーザ操作により端末装置１００ａが再生中のコンテンツの再生速度は調整可能であり、外部再生装置２００の再生速度に比べ再生速度を高速度にも低速度にも設定できるものとしてもよい。
【００２０】
再生開始位置記録部１０３ａは、外部再生装置２００で再生されているコンテンツの現在の再生位置を示す第一再生位置と、端末装置１００ａで追いかけ再生されているコンテンツの現在の端末再生位置を外部再生装置２００に無線信号を用いて送信する。そして、外部再生装置２００の再生制御部１０１ｅｘｔは、入力した第一再生位置と端末再生位置とを用いて、図４で示したように、端末装置１００ａのコンテンツの再生状況をコンテンツ出力部１１０ｅｘｔに出力する（ステップＳ１０）。こうすることで、ユーザは端末装置１００ａのコンテンツの追いかけ再生状況を認識できる。そして、再生制御部１０１ａは、第一再生位置と端末再生位置とが一致したか否かを判定する。ここで再生制御部１０１ａの行う第一再生位置と端末再生位置とが一致したか否かの判定は、再生制御部１０１ａが外部再生装置２００に出力したコンテンツの第一再生位置と、再生制御部１０１ａがコンテンツ出力部１１０ａにおいて再生制御しているコンテンツの端末再生位置とが、一致したか否かで判定する。そして再生制御部１０１ａが第一再生位置と端末再生位置とが一致しないと判定した場合、このステップＳ１１の判定を繰り返す（ステップＳ１１、ＮＯ）。また、再生制御部１０１ａが第一再生位置と端末再生位置とが一致したと判定した場合、自装置におけるコンテンツの再生が外部再生装置２００のコンテンツの再生に追いついたと判定する（ステップＳ１１、ＹＥＳ）。すると、端末装置１００ａの再生制御部１０１ａは、自装置におけるコンテンツの再生、つまり追いかけ再生を停止する（ステップＳ１２）。このとき、再生開始位置記録部１０３ａは、端末装置１００ａの再生制御部１０１ａにおけるコンテンツの再生停止を検出し、端末再生位置の記憶部１１１ａへの記録を停止する（ステップＳ１３）。そして再生開始位置記録部１０３ａは、端末装置１００ａのコンテンツの再生停止を外部再生装置２００に出力する。すると外部再生装置２００の再生制御部１０１ｅｘｔは、コンテンツ出力部１１０ｅｘｔにおける端末装置１００ａのコンテンツの再生状況の出力を停止する（ステップＳ１４）。
なお、端末装置１００ａの再生制御部１０１ａは、高速に追いかけ再生しない場合には、コンテンツが終了するまで追いかけ再生をしてもよい。
【００２１】
なお、本実施形態において、コンテンツは映像であるものとして説明したが、コンテンツは映像と音（音声や曲など）の両方のデータを示すものであってもよいし、音のみのデータであってもよい。
また、上述の説明では外部再生装置２００が無線信号でコンテンツを端末装置１００ａから受信して、当該外部再生装置２００の再生制御部１０１ｅｘｔがコンテンツを再生してコンテンツ出力部１１０ｅｘｔが出力する例を示している。
しかしながら、端末装置１００ａの再生制御部１０１ａがコンテンツを再生し、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ；登録商標）などの有線ケーブルなどを介してデータを外部再生装置２００に送信し、外部再生装置２００のコンテンツ出力部１１０ｅｘｔがそのまま出力するようにしてもよい。
【００２２】
以上、本発明の第一の実施形態による再生制御装置１０ａを備える端末装置１００ａと再生制御装置１０ｅｘｔを備える外部再生装置２００から成るコンテンツ再生システム１０００の処理フローについて説明した。上述の再生制御装置１０の処理によれば、外部再生装置２００によるコンテンツの再生中において、コンテンツの追いかけ再生の再生要求命令が発生した場合に、再生要求命令に基づいて、再生中のコンテンツの再生位置である第一再生位置より所定時間前の再生位置である第二再生位置からの再生制御を、コンテンツを出力するコンテンツ出力部１１０に対して指示することができる。例えば、外部再生装置２００にコンテンツを再生中に、あるユーザが時間をさかのぼってコンテンツを再生させる際に、そのユーザの端末装置１００ａのみが時間をさかのぼってコンテンツを再生する。そうすることで、ユーザは自端末装置１００ａでコンテンツの追いかけ再生を楽しむことができる。また、外部再生装置２００の近傍に居る１人または複数のユーザが外部再生装置２００において出力されている１つのコンテンツを１人または複数人で視聴している際に、特定のユーザが時間をさかのぼってコンテンツを再生させても、その追いかけ再生は当該ユーザの端末装置１００ａでのみ行われるため、他の人が同一コンテンツを２度視聴することを回避することができる。
【００２３】
＜第二の実施形態＞
図６は、本発明の第二の実施形態による端末装置１００ａの備える再生制御装置１０ａの構成を示す機能ブロック図である。
また、図７は、本発明の第二の実施形態による端末装置１００ｂの備える再生制御装置１０ｂの構成を示す機能ブロック図である。
また、図８は、本発明の第二の実施形態によるコンテンツ再生システム１０００の構成を示す図である。
ここで、端末装置１００ａは再生制御装置１０ａを備え、外部再生装置２００によるコンテンツの再生中において、再生制御装置１０ａの機能によりコンテンツの追いかけ再生の指示、コンテンツの再生などを行う装置である。
また、端末装置１００ｂは、再生制御装置１０ｂを備え、外部再生装置２００によるコンテンツの再生中において、その場を離れるなどをして外部再生装置２００の再生するコンテンツを認識できない状況が生じた際に、ユーザからの離席を示す操作の入力を受け付ける。そして端末装置１００ｂは、その離席を示す操作の入力や、その後のユーザ操作に基づいて自装置の備える再生制御装置１０ｂの機能によりコンテンツの再生などの命令を行う装置である。
なお、本実施形態による端末装置１００ａ、端末装置１００ｂ、外部再生装置２００の各再生制御装置１０における各機能部は、第一の実施形態で説明した機能部と同様の機能を有しているが、第一の実施形態の処理についてそれら３つの各装置で分担して処理を行う点で相違している。
【００２４】
図９は、本発明の第二の実施形態によるコンテンツ再生システム１０００の処理フローを示す図である。
ここでは、外部再生装置２００がコンテンツとして映像（動画、静止画の両方を含む）を出力する場合を例に本実施形態による再生制御装置１０の処理フローを説明する。また、端末装置１００ａが端末装置１００ｂに追いかけ再生を指示する場合を例に説明する。
なお、本実施形態において、コンテンツは端末装置１００ａの記憶部１１１が記録しているものとして説明するが、コンテンツの記録されている記憶部は端末装置１００ａの記憶部１１１に限定されるものではなく、アクセスが可能であればどの装置の記憶部１１１に記録されていてもよいし、データベース等の独立した記憶部であってもよい。
【００２５】
まず、端末装置１００ａの再生制御部１０１ａは、端末装置１００ａの記憶部１１１ａの記録するコンテンツを、無線信号を用いて外部再生装置２００へ送信する（ステップＳ１）。外部再生装置２００が端末装置１００ａからコンテンツを受信すると、外部再生装置２００の再生制御部１０１ｅｘｔは受信したコンテンツをコンテンツ出力部１１０ｅｘｔで順次再生する（ステップＳ２）。このとき、端末装置１００ａの再生開始位置記録部１０３ａは、外部再生装置２００で現在再生されているコンテンツの再生位置である第一再生位置を繰り返し記憶部１１１に記録する（ステップＳ１５）。
【００２６】
このような状況において、端末装置１００ａのユーザａと端末装置１００ｂのユーザｂは外部再生装置２００の再生しているコンテンツを見ることができ、特に自身の端末装置１００ｂにおいてコンテンツは再生する必要がない。ここで、ユーザｂが例えば電話対応のためその場を離れる必要がある場合、ユーザｂは、電話対応が終了し、元の場所に戻った時に、外部再生装置２００で見ていたコンテンツを、この場を離れるときに再生していたコンテンツの再生位置から見たいという願望が生じる。そこで、ユーザｂは端末装置１００ｂに対して、その場を離れることを意味する端末装置１００ｂを持ち上げたり端末装置１００ｂのコンテンツ出力部１１０ｂをタップしたりするユーザ操作を行う。すると、端末装置１００ｂの要求命令生成部１０５ｂは、第一の実施形態と同様にセンサなどでそのユーザ操作を検出し、そのユーザ操作を契機に、第二再生位置の記録を指示する再生位置記録要求命令を生成する（ステップＳ１６）。そして、端末装置１００ｂの要求命令生成部１０５ｂは、この生成した生成位置記録要求命令を端末装置１００ａに送信する。端末装置１００ａの再生開始位置記録部１０３ａは、端末装置１００ｂから再生位置記録要求命令を受信すると、その受信時点で記憶部１１１ａに記録されている第一再生位置を読み出し、その読み出した第一再生位置から所定時間前の再生位置を第二再生位置として自装置の記憶部１１１に記録する（ステップＳ１７）。
【００２７】
ここで、ユーザｂが電話対応を終了し、元の場所に戻り、端末装置１００ｂに対して第二再生位置からの再生を指示する端末装置１００ｂのコンテンツ出力部１１０ｂをタップなどのユーザ操作入力を行う。すると、端末装置１００ｂの要求命令生成部１０５ｂは、そのユーザ操作を契機に、第二再生位置からの再生を指示する再生要求命令を生成する（ステップＳ１８）。そして、端末装置１００ｂの要求命令生成部１０５ｂは、この生成した再生要求命令を端末装置１００ａに送信する。端末装置１００ａの再生位置出力部１０２ａは、端末装置１００ｂから再生要求命令を受信すると、その再生要求命令の受信に応じて、第二再生位置を自装置の再生制御部１０１ａに出力する。端末装置１００ａの再生制御部１０１ａは、自装置の再生位置出力部１０２ａから第二再生位置を入力すると、自装置の記憶部１１１ａに記録されている第二再生位置からコンテンツを再生するよう指示する再生指示信号と第二再生位置からのコンテンツを端末装置１００ｂに送信する（ステップＳ１９）。
【００２８】
端末装置１００ｂの再生制御部１０１ｂは、端末装置１００ａから第二再生位置からの再生指示を示す再生指示信号とコンテンツを受信すると、受信した第二再生位置からのコンテンツを再生し、コンテンツ出力部１１０ｂに出力して追いかけ再生を開始する（ステップＳ２０）。そして、端末装置１００ａの再生開始位置記録部１０３ａは、再生制御部１０１ａが端末装置１００ｂに送信したコンテンツのデータに応じて端末装置１００ｂにおける端末再生位置を自装置の記憶部１１１ａに記録する（ステップＳ２１）。端末装置１００ｂのコンテンツの再生については、端末装置１００ｂの再生制御部１０１ｂは、外部再生装置２００が再生中のコンテンツの再生よりも高速度に再生する。ただし、ユーザ操作により端末装置１００ｂが再生中のコンテンツの再生速度は調整可能であり、外部再生装置２００の再生速度に比べ再生速度を高速度にも低速度にも設定できるようにしてもよい。
なお、端末装置１００ｂの再生制御部１０１ｂは、端末装置１００ａからコンテンツの全データを受信して、第二再生位置から再生し、コンテンツ出力部１１０ｂに出力してもよい。
【００２９】
端末装置１００ａの再生開始位置記録部１０３ａは、外部再生装置２００で再生されているコンテンツの現在の再生位置を示す第一再生位置と、端末装置１００ｂで追いかけ再生されているコンテンツの現在の端末再生位置を外部再生装置２００に無線信号を用いて送信する。そして、外部再生装置２００の再生制御部１０１ｅｘｔは、入力した第一再生位置と端末再生位置とを用いて、図４で示したように、端末装置１００ｂのコンテンツの再生状況を出力する（ステップＳ１０）。こうすることで、ユーザは端末装置１００ｂのコンテンツの追いかけ再生状況を認識できる。そして、端末装置１００ａの再生制御部１０１ａは、第一再生位置と端末再生位置とが一致したか否かを判定する。ここで再生制御部１０１ａの行う判定は、例えば、外部再生装置２００と端末装置１００ｂとで再生するために端末装置１００ａから出力した２つのコンテンツデータの差が無くなった場合に第一再生位置と端末再生位置とが一致したと判定する。そして再生制御部１０１ａが第一再生位置と端末再生位置とが一致しないと判定した場合、このステップＳ２２の判定を繰り返す（ステップＳ２２、ＮＯ）。また、再生制御部１０１ａが第一再生位置と端末再生位置とが一致したと判定した場合、端末装置１００ｂにおけるコンテンツの再生が外部再生装置２００のコンテンツの再生に追いついたと判定する（ステップＳ２２、ＹＥＳ）。すると、端末装置１００ａの再生制御部１０１ａは、端末装置１００ｂへのコンテンツの送信を停止する。すると、端末装置１００ｂの再生制御部１０１ｂは、追いかけ再生を停止する（ステップＳ２３）。このとき、再生開始位置記録部１０３ａは、再生制御部１０１ａが端末装置１００ｂにコンテンツの再生の停止を示す信号を送信したことを検出し、端末再生位置の記憶部１１１ａへの記録を停止する（ステップＳ２４）。また、再生制御部１０１ａは、端末装置１００ｂのコンテンツの再生停止を示す信号を外部再生装置２００に出力する。すると再生制御部１０１ｅｘｔは、コンテンツ出力部１１０ｅｘｔにおける端末装置１００ｂのコンテンツの再生状況の出力を停止する（ステップＳ２５）。
【００３０】
なお、本実施形態において、コンテンツは映像として説明したが、コンテンツは映像と音の両方のデータを示すものであってもよく、またコンテンツは音（音声や曲など）のみのデータであってもよい。
また、上述の説明では装置間でコンテンツを無線で送受信して外部再生装置２００の再生制御部１０１ｅｘｔと端末装置１００ｂの再生制御部１０１ｂがコンテンツをコンテンツ出力部１１０に出力する例を示している。しかしながら、コンテンツ再生システム１０００全体で本実施形態と同等の処理が行える範囲で各装置の構成を変更してもよい。例えば、何れかの装置の再生制御部１０１がコンテンツを再生し、有線ケーブルを介してその再生したコンテンツのデータをそのまま追いかけ再生する装置のコンテンツ出力部１１０に出力するようにしてもよい。
また、コンテンツの取得方法は、ストリーミング受信に限らず放送受信や自装置の記憶部１１１（１１１ａ、１１１ｂ、・・・）からの読み出しなどであってもよい。
また、本実施形態に記載された接続方法に限らず、コンテンツや再生状況などの各種情報が適切に伝達できれば任意の接続方法でよい。
【００３１】
以上、本発明の第二の実施形態による再生制御装置１０を備える端末装置１００（１００ａ、１００ｂ、・・・）と外部再生装置２００から成るコンテンツ再生システム１０００の処理フローについて説明した。上述の再生制御装置１０の処理によれば、外部再生装置２００によるコンテンツの再生中において、コンテンツの追いかけ再生の再生要求命令が発生した場合に、再生要求命令に基づいて、再生中のコンテンツの再生位置である第一再生位置より所定時間前の再生位置である第二再生位置からの再生制御を、コンテンツを再生するコンテンツ出力部１１０ｂに対して指示することができる。例えば、外部再生装置２００にコンテンツを再生中に、あるユーザが時間をさかのぼってコンテンツを再生させる際に、そのユーザの端末装置のみが時間をさかのぼってコンテンツを再生する。そうすることで、ユーザは自端末装置でコンテンツの追いかけ再生を楽しむことができる。また、外部再生装置２００の近傍に居る複数のユーザが外部再生装置２００において出力されている１つのコンテンツを複数人で視聴している際に、特定のユーザが時間をさかのぼってコンテンツを再生させても、その追いかけ再生は当該ユーザの端末装置１００ｂでのみ行われるため、他の人が同一コンテンツを２度視聴することを回避することができる。
また、コンテンツ再生システム１０００を構成する外部再生装置２００や端末装置１００（１００ａ、１００ｂ、・・・）にコンテンツ再生システム１０００の各処理を行う機能部を分散することができるため、各端末装置１００（１００ａ、１００ｂ、・・・）はそれぞれの構成に応じて必要最小限の機能部を備えていればよい。そのため、携帯の可能性のある各端末装置１００（１００ａ、１００ｂ、・・・）を小型化や軽量化することができる。
【００３２】
＜第三の実施形態＞
図１０は、本発明の第三の実施形態による端末装置１００ａの備える再生制御装置１０ａの構成を示す機能ブロック図である。
また、図１１は、本発明の第三の実施形態による端末装置１００ｂの備える再生制御装置１０ｂの構成を示す機能ブロック図である。
また、図１２は、本発明の第三の実施形態による外部再生装置２００の備える再生制御装置１０ｅｘｔの構成を示す機能ブロック図である。
なお、端末装置１００ａ、端末装置１００ｂ、外部再生装置２００の備える再生制御装置１０の各機能部は、第一の実施形態と同様であるため省略する。
ただし、本実施形態による再生制御装置１０におけるその他の各機能部は、他装置からのデータを扱う点で第一の実施形態と相違している。また、図１０〜図１２からわかるように、端末装置１００ａ、端末装置１００ｂ、外部再生装置２００のそれぞれの装置における各機能部間の接続は他の実施形態と相違している。
【００３３】
図１３は、本発明の第三の実施形態によるコンテンツ再生システム１０００の構成を示す図である。
ここで、端末装置１００ａは、再生制御装置１０ａを備え、外部再生装置２００によるコンテンツの再生中において、自装置の備える再生制御装置１０ａの機能によりコンテンツの記録の指示、コンテンツの追いかけ再生の指示、コンテンツの再生などを行う装置である。
また、端末装置１００ｂは、再生制御装置１０ｂを備え、外部再生装置２００によるコンテンツの再生中において、その場を離れるなどをして外部再生装置２００の再生するコンテンツを認識できない状況が生じた際に、ユーザからの離席を示す操作の入力を受け付ける。そして端末装置１００ｂは、その離席を示す操作の入力や、その後のユーザ操作に基づいて自装置の備える再生制御装置１０ｂの機能によりコンテンツの再生などを行う装置である。
また、外部再生装置２００は、再生制御装置１０ｅｘｔを備え、その再生制御装置１０ｅｘｔの機能によりコンテンツの記録、コンテンツの再生などを行う装置である。
【００３４】
図１４は、本発明の第三の実施形態によるコンテンツ再生システム１０００の処理フローを示す図である。
ここでは、外部再生装置２００がコンテンツとして映像（動画、静止画の両方を含む）を出力する場合を例に本実施形態によるコンテンツ再生システム１０００の処理フローにおける再生制御装置１０の処理を説明する。また、端末装置１００ａが端末装置１００ｂにコンテンツの記録や追いかけ再生を指示する場合を例に説明する。ただし、本実施形態では、外部再生装置２００の備える再生制御装置１０ｅｘｔの記憶部１１１ｅｘｔがコンテンツを記録しているものとする。
【００３５】
まず、外部再生装置２００の再生制御部１０１ｅｘｔは、記憶部１１１ｅｘｔの記憶するコンテンツを読み取って再生し、コンテンツ出力部１１０ｅｘｔに送信する。そしてコンテンツ出力部１１０ｅｘｔは受信したコンテンツを順次出力する（ステップＳ２）。これにより外部再生装置２００のコンテンツ出力部１１０ｅｘｔには映像が出力される。このとき、外部再生装置２００の備える再生制御装置１０ｅｘｔの再生開始位置記録部１０３ｅｘｔは、自装置で現在再生されているコンテンツの再生位置である第一再生位置を繰り返し自装置の記憶部１１１ｅｘｔに記録する（ステップＳ２６）。
【００３６】
このような状況において、端末装置１００ｂのユーザｂは外部再生装置２００の再生しているコンテンツを見ることができ、特に自身の端末装置１００ｂにおいてコンテンツは再生する必要がない。ここで、ユーザｂが例えば電話対応のためその場を離れる必要がある場合、ユーザｂは、電話対応が終了し、元の場所に戻った時に、外部再生装置２００で見ていたコンテンツを、この場を離れるときに再生していたコンテンツの再生位置から見たいという願望が生じる。そこで、ユーザｂは端末装置１００ｂに対して、その場を離れることを意味する端末装置１００ｂを持ち上げたり端末装置１００ｂのコンテンツ出力部１１０ｂをタップしたりするユーザ操作を行う。すると、端末装置１００ｂの要求命令生成部１０５ｂは、センサなどでそのユーザ操作を検出し、そのユーザ操作を契機に、第二再生位置の記録を指示する再生位置記録要求命令を生成する（ステップＳ１６）。そして、要求命令生成部１０５ｂは、この生成した生成位置記録要求命令を端末装置１００ａに出力する。端末装置１００ａの再生開始位置記録部１０３ａは、端末装置１００ｂから再生位置記録要求命令を入力すると、その入力した再生位置記録要求命令に応じて、第二再生位置を外部再生装置２００の記憶部１１１ｅｘｔに記録する要求命令と、その第二再生位置からコンテンツを外部再生装置２００の記憶部１１１に記録する要求命令とを外部再生装置２００に出力する（ステップＳ２７）。
【００３７】
外部再生装置２００の再生開始位置記録部１０３ｅｘｔは、端末装置１００ａから要求命令を入力すると、その入力時点で記憶部１１１ｅｘｔに記録されている第一再生位置を読み出し、その読み出した第一再生位置から所定時間前の再生位置を第二再生位置として自装置の記憶部１１１ｅｘｔに記録する（ステップＳ２８）。また、外部再生装置２００の再生制御部１０１ｅｘｔは、端末装置１００ａから要求命令を入力すると、第二再生位置からのコンテンツを記憶部１１１ｅｘｔに記録する（ステップＳ２９）。
【００３８】
ここで、ユーザｂが電話対応を終了し、元の場所に戻り、端末装置１００ｂに対して第二再生位置からの再生を指示する端末装置１００ｂのコンテンツ出力部１１０ｂをタップなどのユーザ操作入力を行う。すると、端末装置１００ｂの要求命令生成部１０５ｂは、そのユーザ操作を契機に、第二再生位置からの再生を指示する再生要求命令を生成する（ステップＳ１８）。そして、端末装置１００ｂの要求命令生成部１０５ｂは、この生成した再生要求命令を端末装置１００ａに出力する。端末装置１００ａの再生位置出力部１０２ａは、端末装置１００ｂから再生要求命令を入力すると、その再生要求命令を、外部再生装置２００に出力する（ステップＳ３０）。外部再生装置２００の再生位置出力部１０２ｅｘｔは、端末装置１００ａから再生要求命令を入力すると、自装置の記憶部１１１ｅｘｔに記録されている第二再生位置を読み出し、読み出した第二再生位置を自装置の再生制御部１０１ｅｘｔに出力する。外部再生装置２００の再生制御部１０１ｅｘｔは、自装置の再生位置出力部１０２ｅｘｔから第二再生位置を入力すると、自装置の記憶部１１１ｅｘｔに記録されている第二再生位置からコンテンツを再生するよう指示する再生指示信号を端末装置１００ｂに送信する（ステップＳ３１）。このとき、外部再生装置２００は、自装置の記憶部１１１ｅｘｔが記録している第二再生位置からのコンテンツを端末装置１００ｂに送信する（ステップＳ３２）。
【００３９】
端末装置１００ｂの再生制御部１０１ｂは、外部再生装置２００から第二再生位置からの再生指示を示す再生指示信号と第二再生位置からのコンテンツを受信すると、端末装置１００ｂの再生制御部１０１ｂは、取得したコンテンツを自装置のコンテンツ出力部１１０ｂに出力し、追いかけ再生を開始する（ステップＳ３３）。
【００４０】
なお、これ以降のコンテンツ再生システム１０００における処理は、第二の実施形態によるコンテンツ再生システム１０００における処理と同様であってもよい。すなわち、端末装置１００ｂにおけるコンテンツの追いかけ再生が、外部再生装置２００のコンテンツの再生に追いつくと追いかけ再生を停止してもよい。また、端末装置１００ｂにおける追いかけ再生中の再生状況は、外部再生装置２００のコンテンツ出力部１１０ｅｘｔにより出力されてもよい。
また、端末装置１００ｂは外部再生装置２００で再生中のコンテンツを常時取得して記憶部１１１ｂに記録し、追いかけ再生の際に、端末装置１００ｂの再生制御部１０１ｂは、記憶部１１１ｂに記録したコンテンツを再生してもよい。
また、コンテンツは端末装置１００や外部再生装置２００以外の装置が記憶していてもよい。また、コンテンツは、インターネット等のネットワークを介して装置間で送受信されてもよい。
【００４１】
以上、本発明の第三の実施形態による再生制御装置１０（１０ａ、１０ｂ、・・・）を備える端末装置１００（１００ａ、１００ｂ、・・・）と再生制御装置１０ｅｘｔを備える外部再生装置２００から成るコンテンツ再生システム１０００の処理フローについて説明した。上述の再生制御装置１０の処理によれば、外部再生装置２００によるコンテンツの再生中において、コンテンツの追いかけ再生の再生要求命令が発生した場合に、再生要求命令に基づいて、再生中のコンテンツの再生位置である第一再生位置より所定時間前の再生位置である第二再生位置からの再生制御を、コンテンツを出力するコンテンツ出力部１１０ｂに対して指示することができる。例えば、外部再生装置２００においてコンテンツを再生中に、あるユーザが時間をさかのぼってコンテンツを再生させる際に、そのユーザの端末装置のみが時間をさかのぼってコンテンツを再生する。そうすることで、ユーザは自端末装置でコンテンツの追いかけ再生を楽しむことができる。また、外部再生装置２００の近傍に居る複数のユーザが外部再生装置２００において出力されている１つのコンテンツを複数人で視聴している際に、特定のユーザが時間をさかのぼってコンテンツを再生させても、その追いかけ再生は当該ユーザの端末装置１００ｂでのみ行われるため、他の人が同一コンテンツを２度視聴することを回避することができる。
また、コンテンツ記録部が時間をさかのぼった再生に必要コンテンツの部分のみを記録するため、再生時にコンテンツを他装置に出力するデータを低減することができる。そのため、ユーザは、大容量のコンテンツのダウンロードを待つ通信時間や通信料を節約することができる。
【００４２】
なお本発明の実施形態について説明したが、上述の再生制御装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４４】
なお、上記の実施形態の一部又は全部は、以下の付記の用にも記載されうるが、以下には限られない。
【００４５】
（付記１）端末装置と外部再生装置とを備えたコンテンツ再生システムにおけるコンテンツの再生を制御する再生制御装置であって、
外部再生装置による前記コンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する再生制御部
を備えることを特徴とする再生制御装置。
【００４６】
（付記２）前記再生制御部は、
前記端末装置における所定の操作を契機に発生した前記再生要求命令に基づいて、再生制御を指示する
ことを特徴とする付記１に記載の再生制御装置。
【００４７】
（付記３）前記第一再生位置と、前記第二再生位置と、の情報を少なくとも出力する再生位置出力部
を備えること特徴とする付記１または付記２に記載の再生制御装置。
【００４８】
（付記４）前記第二再生位置を記録する再生開始位置記録部を備え、
前記再生制御部は、
前記再生開始位置記録部により記録された前記第二再生位置からのコンテンツの再生制御を指示する
ことを特徴とする付記１から付記３の何れか一項に記載の再生制御装置。
【００４９】
（付記５）前記再生制御部は、
さらに前記コンテンツを記録するコンテンツ記録部に対し、前記再生開始位置記録部により記録された前記第二再生位置からのコンテンツの記録を指示する
こと特徴とする付記４に記載の再生制御装置。
【００５０】
（付記６）前記コンテンツ出力部
を備えることを特徴とする付記１から付記５の何れか一に記載の再生制御装置。
【００５１】
（付記７）前記コンテンツ出力部は、
前記再生制御部からの再生制御の指示に基づいて、前記コンテンツの前記第一再生位置からの出力とともに、前記第二再生位置からの出力を開始する
ことを特徴とする付記６に記載の再生制御装置。
【００５２】
（付記８）前記コンテンツ出力部は、
前記コンテンツの前記第一再生位置からの再生よりも第二再生位置からの再生を高速度で行い、前記第二再生位置からの再生位置が前記第一再生位置からの再生位置に追いついた場合には前記第二再生位置からの出力を終了する
ことを特徴とする付記６または付記７に記載の再生制御装置。
【００５３】
（付記９）前記コンテンツの一部を記録する自装置の記憶部に対し、前記コンテンツの過去に再生した所定時間分のデータの記録を指示し、当該指示により自装置の前記記憶部に記録されているデータにおける前記第二再生位置を自装置の前記記憶部に記録する記録制御部
を備えることを特徴とする付記１から付記８の何れか一に記載の再生制御装置。
【００５４】
（付記１０）前記端末装置に備えられた付記１から付記９の何れか一に記載の再生制御装置。
【００５５】
（付記１１）前記外部再生装置に備えられた付記１から付記１０の何れか一に記載の再生制御装置。
【００５６】
（付記１２）前記再生要求命令を複数の前記端末装置のうちの当該再生要求命令の送信元の端末装置から受信し、第二再生位置からの再生制御の指示を当該再生要求命令の送信元の端末装置に出力する
ことを特徴とする付記１から付記１１の何れか一に記載の再生制御装置。
【００５７】
（付記１３）前記再生要求命令の送信元の端末装置は、
前記外部再生装置から第二再生位置からのコンテンツデータを取得する
ことを特徴とする付記１２に記載の再生制御装置。
【００５８】
（付記１４）前記再生要求命令の送信元の端末装置は、
前記複数の端末装置のうちの再生要求命令の送信先の端末装置から第二再生位置からのコンテンツデータを取得する
ことを特徴とする付記１２に記載の再生制御装置。
【００５９】
（付記１５）前記外部再生装置は、
前記端末装置からコンテンツデータを取得し再生する
ことを特徴とする付記１から付記１４の何れか一に記載の再生制御装置。
【００６０】
（付記１６）外部再生装置によるコンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する
ことを特徴とする再生制御方法。
【００６１】
（付記１７）再生制御装置のコンピュータを、
外部再生装置によるコンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置からの再生制御を、前記コンテンツを出力するコンテンツ出力部に対して指示する再生制御手段
として機能させることを特徴とするプログラム。
【００６２】
（付記１８）端末装置と外部再生装置とを備えたコンテンツ再生システムにおけるコンテンツの再生を制御する再生制御装置であって、
外部再生装置による前記コンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置を入力して記録する再生開始位置記録部と、
前記第二再生位置からの記録を指示する再生制御部と、
を備えることを特徴とする再生制御装置。
【００６３】
（付記１９）前記外部再生装置による前記コンテンツの再生中において、
前記再生制御部は、
前記再生要求命令に基づいて、前記第二再生位置からの再生制御を、前記コンテンツを出力するコンテンツ出力部に対して指示する
ことを特徴とする付記１８に記載の再生制御装置。
【００６４】
（付記２０）前記再生制御部は、
前記端末装置における所定の操作を契機に発生した前記再生要求命令に基づいて、再生制御を指示する
ことを特徴とする付記１９に記載の再生制御装置。
【００６５】
（付記２１）前記第一再生位置と、前記第二再生位置と、の情報を少なくとも出力する再生位置出力部
を備えること特徴とする付記１９または付記２０に記載の再生制御装置。
【００６６】
（付記２２）前記再生制御部は、
前記再生開始位置記録部により記録された前記第二再生位置からのコンテンツの再生制御を指示する
ことを特徴とする付記１９から付記２１の何れか一に記載の再生制御装置。
【００６７】
（付記２３）前記コンテンツ出力部
を備えることを特徴とする付記１９から付記２２の何れか一に記載の再生制御装置。
【００６８】
（付記２４）前記コンテンツ出力部は、
前記再生制御部からの再生制御の指示に基づいて、前記コンテンツの前記第一再生位置からの出力とともに、前記第二再生位置からの出力を開始する
ことを特徴とする付記２３に記載の再生制御装置。
【００６９】
（付記２５）前記コンテンツ出力部は、
前記コンテンツの前記第一再生位置からの再生よりも第二再生位置からの再生を高速度で行い、前記第二再生位置からの再生位置が前記第一再生位置からの再生位置に追いついた場合には前記第二再生位置からの出力を終了する
ことを特徴とする付記２３または付記２４に記載の再生制御装置。
【００７０】
（付記２６）前記コンテンツの一部を記録する自装置の記憶部に対し、前記コンテンツの過去に再生した所定時間分のデータの記録を指示し、当該指示により自装置の前記記憶部に記録されているデータにおける前記第二再生位置を自装置の前記記憶部に記録する記録制御部
を備えることを特徴とする付記１９から付記２５の何れか一に記載の再生制御装置。
【００７１】
（付記２７）前記端末装置に備えられた付記１９から付記２６の何れか一に記載の再生制御装置。
【００７２】
（付記２８）前記外部再生装置に備えられた付記１９から付記２７の何れか一に記載の再生制御装置。
【００７３】
（付記２９）前記再生要求命令を複数の前記端末装置のうちの当該再生要求命令の送信元の端末装置から受信し、第二再生位置からの再生制御の指示を当該再生要求命令の送信元の端末装置に出力する
ことを特徴とする付記１９から付記２８の何れか一に記載の再生制御装置。
【００７４】
（付記３０）前記再生要求命令の送信元の端末装置は、
前記外部再生装置から第二再生位置からのコンテンツデータを取得する
ことを特徴とする付記２９に記載の再生制御装置。
【００７５】
（付記３１）前記再生要求命令の送信元の端末装置は、
前記複数の端末装置のうちの再生要求命令の送信先の端末装置から第二再生位置からのコンテンツデータを取得する
ことを特徴とする付記２９に記載の再生制御装置。
【００７６】
（付記３２）前記外部再生装置は、
前記端末装置からコンテンツデータを取得し再生する
ことを特徴とする付記１９から付記３１の何れか一項に記載の再生制御装置。
【００７７】
（付記３３）外部再生装置によるコンテンツの再生中において、前記コンテンツの追いかけ再生の再生要求命令が発生した場合に、当該再生要求命令に基づいて、前記再生中のコンテンツの再生位置である第一再生位置より所定時間前の再生位置である第二再生位置を入力して記録し、
前記第二再生位置からの記録を指示する、
ことを特徴とする再生制御方法。
【００７８】
（付記３４）再生制御装置のコンピュータを、
外部再生装置によるコンテンツの再生中において、コンテンツの追いかけ再生の再生要求命令が発生した場合に、当該再生要求命令に基づいて、前記再生中のコンテンツの再生位置である第一再生位置より所定時間前の再生位置である第二再生位置を入力して記録する再生開始位置記録手段、
前記第二再生位置からの記録を指示する再生制御手段、
として機能させることを特徴とするプログラム。
【符号の説明】
【００７９】
１０、１０ａ、１０ｂ、１０ｃ、１０ｅｘｔ・・・再生制御装置
１００、１００ａ、１００ｂ・・・端末装置
１０１、１０１ａ、１０１ｂ、１０１ｅｘｔ・・・再生制御部
１０２、１０２ａ、１０２ｂ、１０２ｅｘｔ・・・再生位置出力部
１０３、１０３ａ、１０３ｂ、１０３ｅｘｔ・・・再生開始位置記録部
１０４、１０４ａ、１０４ｂ，１０４ｅｘｔ・・・記録制御部
１０５、１０５ａ、１０５ｂ・・・要求命令生成部
１１０、１１０ａ、１１０ｂ・・・コンテンツ出力部
１１０ｅｘｔ、・・・外部再生装置のコンテンツ出力部
１１１、１１１ａ、１１１ｂ・・・記憶部
１１１ｅｘｔ・・・外部再生装置の記憶部
２００・・・外部再生装置
１０００・・・コンテンツ再生システム
【図１】
2014233025.tif 000003
【図２】
2014233025.tif 000004
【図３】
2014233025.tif 000005
【図４】
2014233025.tif 000006
【図５】
2014233025.tif 000007
【図６】
2014233025.tif 000008
【図７】
2014233025.tif 000009
【図８】
2014233025.tif 000010
【図９】
2014233025.tif 000011
【図１０】
2014233025.tif 000012
【図１１】
2014233025.tif 000013
【図１２】
2014233025.tif 000014
【図１３】
2014233025.tif 000015
【図１４】
2014233025.tif 000016